(57)【要約】【課題】  地震が発生しても、多数本のガス容器を転倒させることなく安定に固定するとともに、チェーン３を安定に係止することができるガス容器固定器具を提供する。【解決手段】  保管区画内に置かれたガス容器の転倒を防止するためのガス容器固定器具であって、保管区画に立てられる４本の緊縛支柱１ａ，１ｂ，１ｃ，１ｄと、これら緊縛支柱１ａ，１ｂ，１ｃ，１ｄの間に渡される少なくとも３個の緊縛桁２ａ，２ｂ，２ｃと、これら緊縛桁２ａ，２ｂ，２ｃの内、互いに隣接しない緊縛桁２ａ，２ｃの間に架け渡されるチェーン３と、このチェーン３の端部を係止するために、前記緊縛桁２ａ，２ｃに取り付けられた複数の係止部４，４，…とからなるガス容器固定器具を用いる。【選択図】        図１
2006057747.tif 000002
【特許請求の範囲】
【請求項１】
保管区画内に置かれたガス容器の転倒を防止するためのガス容器固定器具であって、
保管区画に立てられる４本の緊縛支柱と、これら緊縛支柱の間に渡される少なくとも３個の緊縛桁と、これら緊縛桁の内、互いに隣接しない緊縛桁の間に架け渡されるチェーンと、このチェーンの端部を係止するために、前記緊縛桁に取り付けられた複数の係止部とからなるガス容器固定器具。
【請求項２】
係止部の端部に、チェーンの脱落を防止するための抜け止部が形成された請求項１記載のガス容器固定器具。
【請求項３】
係止部が、緊縛桁に形成された挿入孔と、この挿入孔に挿入可能な挿入体とからなり、この挿入体が、挿入孔に挿入される挿入部と、チェーンを係止するための係止片とからなるものである請求項１記載のガス容器固定器具。
【請求項４】
挿入部の端部に、挿入体を挿入孔に掛止するための掛止部が形成された請求項３記載のガス容器固定器具。
【請求項５】
挿入部がネジ部を形成している請求項３記載のガス容器固定器具。
【請求項６】
挿入孔がネジ孔部を形成している請求項５記載のガス容器固定器具。
【請求項７】
挿入部にナットが取り付けられる請求項５または６記載のガス容器固定器具。
【発明の詳細な説明】
【技術分野】
【０００１】
本発明は、多数本のガス容器を固定する際に用いられるガス容器固定器具に関するもので、例えば、ガス充填工場のような多数本のガス容器を取り扱う場所におけるガス容器固定器具に関するものである。
【背景技術】
【０００２】
従来、ガス容器を固定して保管する手段として、ガスボンベ用支持装置が提案されている（例えば、特許文献１参照。）。しかしながら、このガスボンベ用支持装置は、ガス容器を１本ずつ固定して保管するためのものであり、多数本のガス容器にあっては、固定作業が煩雑になるという問題があった。
【０００３】
そこで、多数本のガス容器を固定して保管する手段として、図８（ａ）に示すガス容器固定器具が用いられている。このガス容器固定器具は、４本の緊縛支柱１ａ，１ｂ，１ｃ，１ｄ、３本の緊縛桁２ａ，２ｂ，２ｃ、および図８（ｂ）に示すチェーン３から構成されている。
【０００４】
このガス容器固定器具は、方形の保管区画に設置されており、この保管区画の４隅には、緊縛支柱１ａ，１ｂ，１ｃ，１ｄがそれぞれ立てられている。また、緊縛支柱１ａ，１ｂ間、緊縛支柱１ｂ，１ｃ間、緊縛支柱１ｃ，１ｄ間には、緊縛桁２ａ，２ｂ，２ｃがそれぞれ架け渡されており、保管区画の３方向を囲むようになっている。この緊縛桁２ａ，２ｂ，２ｃとしては、フラットバーやパイプなどが用いられる。一方、緊縛支柱１ａ，１ｄ間は、ガス容器の搬出入口となっている。更に、互いに隣接しない緊縛桁２ａ，２ｃ上であって緊縛支柱１ｂ，１ｃ付近に一対の係止部４，４が設けられている。
【０００５】
保管区画内には、図８（ｂ）に示すように、多数本のガス容器が、できるだけ緊縛桁２ｂ側に位置するように整列状態で配置される。ついで、チェーン３が、前記係止部４，４に係止されるとともに、ガス容器に略コの字状に巻き付けられる。これにより、多数本のガス容器がまとめて固定されて保管される。
【０００６】
係止部４は、図９（ａ）に示すように、棒状に緊縛桁２ａ，２ｃから突起したものである。図９（ａ）では、緊縛桁２ａ，２ｃとしてパイプが用いられており、係止部４が断面Ｌ字状の金属板４ａを介して設けられた形態が図示されているが、緊縛桁２ａ，２ｃとしてフラットバーが用いられた場合には、このフラットバー上に直接設けてもよい。また、係止部４は上記部位に限らず、図１０（ａ）に示すような、緊縛支柱１ｂ，１ｃの側面に設けられた従来例もある。この従来例においては、係止部４は略Ｕ字状の側面形状を有している。
【特許文献１】特開２０００−３５１９８号公報
【発明の開示】
【発明が解決しようとする課題】
【０００７】
しかしながら、上記従来技術のガス容器固定器具にあっては、地震が発生した際、多数本のガス容器を巻き付けていたチェーン３が弛んでしまうという現象があった。
通常、多数本のガス容器をガス容器固定器具内に固定する際、人為作業では調節が困難な微少な隙間が、これらガス容器の間に生じる。この隙間は、地震によるガス容器の水平移動によって埋められて、ガス容器の占有面積を縮小させてしまう原因となる。このようにガス容器の占有面積が縮小すると、これらガス容器全体としての周囲の長さが短くなる。従って、当初ガス容器を巻き付けていたチェーンに余りが生じ、この余りが弛みとなる。結果、ガス容器は、チェーン３の拘束力から開放され、地震の振動によって転倒して保管区画外に転がり出るという問題があった。
なお、この現象は、配置されるガス容器の本数が多いほど顕著に現れるものである。
【０００８】
また、地震によるガス容器の水平移動は、チェーン３に多大な荷重を与えるため、チェーン３を係止している係止部４，４を、図９（ｂ）および図１０（ｂ）に示すように変形させてしまうという現象があった。これは、係止部４，４の曲げ力に対する剛性が弱いため生じるものである。このため、チェーン３が係止部４，４から脱落し、このチェーン３によるガス容器の固定ができなくなるという問題があった。
【０００９】
本発明は、上記従来技術の問題点に鑑み、地震が発生しても、多数本のガス容器を転倒させることなく安定に固定するとともに、チェーン３を安定に係止することができるガス容器固定器具を提供することを目的とする。
【課題を解決するための手段】
【００１０】
かかる課題を解決するため、
請求項１にかかる発明は、保管区画内に置かれたガス容器の転倒を防止するためのガス容器固定器具であって、保管区画に立てられる４本の緊縛支柱と、これら緊縛支柱の間に渡される少なくとも３個の緊縛桁と、これら緊縛桁の内、互いに隣接しない緊縛桁の間に架け渡されるチェーンと、このチェーンの端部を係止するために、前記緊縛桁に取り付けられた複数の係止部とからなるガス容器固定器具である。
【００１１】
請求項２にかかる発明は、係止部の端部に、チェーンの脱落を防止するための抜け止部が形成された請求項１記載のガス容器固定器具である。
【００１２】
請求項３にかかる発明は、係止部が、緊縛桁に形成された挿入孔と、この挿入孔に挿入可能な挿入体とからなり、この挿入体が、挿入孔に挿入される挿入部と、チェーンを係止するための係止片とからなるものである請求項１記載のガス容器固定器具である。
【００１３】
請求項４にかかる発明は、挿入部の端部に、挿入体を挿入孔に掛止するための掛止部が形成された請求項３記載のガス容器固定器具である。
【００１４】
請求項５にかかる発明は、挿入部がネジ部を形成している請求項３記載のガス容器固定器具である。
【００１５】
請求項６にかかる発明は、挿入孔がネジ孔部を形成している請求項５記載のガス容器固定器具である。
【００１６】
請求項７にかかる発明は、挿入部にナットが取り付けられる請求項５または６記載のガス容器固定器具である。
【発明の効果】
【００１７】
本発明のガス容器固定器具によれば、緊縛桁に設けられた複数の係止部を用いることにより、ガス容器の固定に要するチェーンの長さを短くすることができる。従って、地震によってガス容器の占有面積が縮小し、これらガス容器全体としての周囲の長さが短くなっても、当初ガス容器に張られていたチェーンに生じる余り量、すなわち弛み量は少ない。結果、このように架け渡されたチェーンは、ガス容器を絶えず支持してその転倒を防止することができる。
また、本発明のガス容器固定器具によれば、抜け止部が形成された係止部の端部において、短手方向における断面積が大きくなるため、この抜け止部が障害物となって、係止部におけるチェーンの動きを制限することができる。従って、チェーンが係止部から脱落することを防止することができる。
【００１８】
さらに、本発明のガス容器固定器具によれば、チェーンが挿入体によって係止されるため、チェーンを介して加わる水平方向の外力を剪断力として受け止めることができる。一般に、材料の剪断力に対する剛性は、曲げ力に対する剛性に比べて格段に高いので、この外力による挿入体の変形は小さい。従って、チェーンを緊縛桁に強固に係止することができる。
【発明を実施するための最良の形態】
【００１９】
本発明にかかるガス容器固定器具の一実施形態を、図面に基づいて説明する。図１は、本発明のガス容器固定器具の一例であり、図８の従来例と同一の構成要素については同一の符号を付し、その説明を省略または簡略化する。
【００２０】
図１のガス容器固定器具が従来例と異なるのは、まず、緊縛桁２ａ、２ｃに複数の係止部４，４，…を設けた点である。また、これら係止部４，４，…の端部に設けた抜け止部４ｂ，４ｂ，…も新規な構成であるが、これについては、更なる改良として別途説明する。なお、これら抜け止部４ｂ，４ｂ，…は、本発明のガス容器固定器具に備わっていてもいなくてもよい。
【００２１】
まず、係止部４，４，…について説明する。
係止部４，４，…は、図９に示す従来例のものと同様であり、棒状の突起によって、チェーン３を係止するものである。また、これら係止部４，４，…は、緊縛桁２ａ，２ｃ上に相対峙するように設けられており、その数は特に限定されないが、緊縛桁２ｂに沿って配置されるガス容器の列の数と同じであることが好ましい。
【００２２】
ガス容器固定器具内には、図１（ｂ）に示すように、多数本のガス容器が、できるだけ緊縛桁２ｂ側に位置するように整列状態で配置される。ついで、チェーン３が、これらガス容器の開放されている面に張られるとともに、このチェーン３の両端部が、緊縛桁２ａ，２ｃに設けられた複数の係止部４，４，…の内、最寄りのものに係止される。結果、チェーン３はほぼ直線状になるように設けられる。すなわち、ガス容器を固定するチェーン３の長さが最小限になる。
【００２３】
このように、ガス容器を固定するチェーン３の長さを最小限にすることにより、地震によってガス容器の占有面積が縮小し、これらガス容器全体としての周囲の長さが短くなっても、当初ガス容器に張られていたチェーン３に生じる余り量、すなわち弛み量を少なくすることができる。従って、このように架け渡されたチェーン３は、ガス容器を絶えず支持してその転倒を防止することができる。
なお、本発明のガス容器固定器具においては、緊縛桁２ａ，２ｂ，２ｃの下方に他の緊縛桁を渡して、ガス容器を多重に緊縛して固定してもよい。また、ガス容器の固定に用いられるチェーン３は一般に緊縛紐と呼ばれているが、この緊縛紐は、適度な強度を有する帯状物であってもよく、この場合でも、チェーン３と同様にガス容器を緊縛することができる。
【００２４】
次に、複数の係止部４，４，…を設ける発明の改良として、前記抜け止部４ｂを説明する。抜け止部４ｂは、図１に示すように、係止部４の頭部を部分的に膨大化したもので、形状は任意でよい。また、抜け止部４ｂは、係止部４の頭部に予め形成しても、係止部４の頭部にナット、カプラーなどの形式で着脱可能に固定して形成してもよいが、前者の場合は、チェーン３の金属輪の孔を抜け止部４ｂが通過できるように配慮する。着脱可能な抜け止部４ｂの場合は、係止部４にチェーン３を係止した後、抜け止部４ｂを取り付けるので、抜け止部４ｂの大きさは任意でよい。
【００２５】
このような抜け止部４ｂ，４ｂ，…が形成された係止部４，４，…にあっては、係止されたチェーン３が、外力によって激しく動いても、抜け止部４ｂ，４ｂ，…が障害物となって、その動きが制限される。従って、チェーン３が係止部４，４，…から脱落することを防止することができる。また、係止部４，４，…が外力によって引き曲げられた場合においても、上記抜け止部４ｂ，４ｂ，…が障害物となってチェーン３の係止部からの脱落を防止することができる。特に、チェーン３の金属輪の孔より大きい抜け止部４ｂを取り付けた場合は、係止部４がどのように変形しても、チェーン３が係止部４から抜けることがなく安全である。
【００２６】
次に、図２〜７を参照しつつ、複数の係止部における各係止部４が挿入体５と挿入孔６とからなるものであるガス容器固定器具について説明する。
挿入体５は、図２に示すように、チェーン３を係止するための係止片５ａと、この係止片５ａから延びて挿入孔６に挿入される挿入部５ｂとからなっている。係止片５ａは、チェーン３を挿入体５に係止するためのものであり、その形状は挿入孔６の内径よりも大きいものであればよく、例えば、図２に示すようなリング状、球状、Ｕ字状などが適用可能である。一方、挿入部５ｂは、挿入孔６の内径よりも小さい外径を有する棒状体である。
【００２７】
挿入孔６は、図３（ａ）に示すように、緊縛桁２ａ，２ｃに形成された孔に金属パイプを設けることによって形成されたものである。これら金属パイプは、鉛直方向に沿って設けられており、金属パイプの長手方向における長さは、緊縛桁２ａ，２ｃの厚みよりも長い。また、金属パイプの全周は、緊縛桁２ａ，２ｃと溶接されており、この溶接方法としては、隅肉溶接などが用いられる。緊縛桁２ａ，２ｃに形成される挿入孔６の数は特に限定されないが、緊縛桁２ｂに沿って配置されるガス容器の列の数と同じであることが好ましい。
【００２８】
この挿入孔６の中に、図３（ｂ），（ｃ）に示すように、挿入体５をチェーン３の金属輪の孔を介して挿入する。結果、チェーン３は、挿入体５の挿入部５ｂによって貫かれるとともに、緊縛桁２ａ，２ｃと挿入体５の係止片５ａとによって挟まれることになる。この状態において、水平方向の外力がチェーン３を介して加わると、この外力は、挿入体５に対して剪断方向に作用する。一般に、材料の剪断力に対する剛性は、曲げ力に対する剛性に比べて格段に高いので、この外力による挿入体５の変形は小さい。従って、チェーン３は、緊縛桁２ａ，２ｃに強固に係止される。
【００２９】
挿入体５の挿入部５ｂの端部には、掛止部５ｃが形成されていてもよい。この掛止部５ｃとしては様々な形態のものが適用可能であるが、例えば、図４（ａ）に示すような円盤状または角盤状の形状を有するものが挙げられる。この例の掛止部５ｃを有する挿入体５にあっては、図４（ｂ）に示すように、挿入体５が、挿入孔６に当接した際に、挿入孔６の下端に掛止めされるようになっている。従って、挿入体５は、地震によってランダムな外力を受けた際に、挿入孔６の下端に掛止され易く、挿入孔６から脱落しにくい。結果、チェーン３は、緊縛桁２ａ，２ｃに安定に係止される。
【００３０】
上記掛止部５ｃの形状は、図５（ａ）に示すように、複数個のそろばんの珠が連なった形状であってもよい。この例の掛止部５ｃを有する挿入体５は、地震によってランダムな外力を受けた際に、掛止部５ｃの窪みが、図５（ｂ）に示すように、挿入孔６の下端に引っ掛かることにより、掛止される。従って、挿入体５は挿入孔６から脱落しにくい。結果、チェーン３は、緊縛桁２ａ，２ｃに安定に係止される。
なお、挿入体５を意図的に引き抜く際には、挿入体５の外径が挿入孔６の内径よりも小さいことを利用して、互いに当接しないように動かすことにより、挿入体５を引き抜くことができる。
【００３１】
挿入体５の挿入部５ｂは、図６（ａ）に示すように、ネジ部５ｄを形成してもよい。また、このネジ部５ｄに対応して、挿入孔６の下端はネジ孔部６ａを形成してもよい。この例にあっては、挿入体５と挿入孔６とをネジ止めすることができるため、両者をより強固に固定することができる。
また、挿入孔６の下端からさらに延びる挿入部５ｂについては、図６（ｂ）に示すように、ナット７を取り付けてもよい。このナット７により、挿入体５は挿入孔６の下端に完全に掛止されるため、地震などの外力によって挿入体５が挿入孔６から脱落するのを防止することができる。
【００３２】
本発明のガス容器固定器具には、図７に示すように、挿入体５がシャックル３ａを介して端部に連結されたチェーン３を用いてもよい。図７では、挿入体５の係止片５ａとしてリング状のものを図示しているが、本発明はこれに限らず、シャックル３ａが通れる孔を有するものであれば適用可能である。
この例のチェーン３を用いて多数本のガス容器を固定すると、万一、外力によって挿入体５が引き曲げられても、チェーン３は係止片５ａに係止されているため、緊縛桁２ａ，２ｃから脱落することはない。
なお、挿入体５は、チェーン３の両端部に連結されてもよい。
【００３３】
また、この例のチェーン３には挿入体５が連結されているため、チェーン３を多数本のガス容器に巻き付ける際に、この挿入体５を把持部として用いることができる。また、チェーン３を多数本のガス容器に巻き付けた後、挿入体５の端部を挿入孔６の開口部に斜めに差し込んで接触させ、この接触部位を支点として係止片５ａを動かして挿入体５を鉛直方向に立てることにより、多数本のガス容器を強固に固縛することができる。
【図面の簡単な説明】
【００３４】
【図１】本発明の実施形態にかかるガス容器固定器具の一例を示す斜視図である。
【図２】本発明の実施形態にかかる挿入体の例を示す側面図である。
【図３】本発明の実施形態にかかる挿入孔の一例を示す側面断面図である。
【図４】本発明の実施形態にかかる掛止部を備える挿入体の一例を示す側面図である。
【図５】本発明の実施形態にかかる掛止部を備える挿入体の他例を示す側面図である。
【図６】本発明の実施形態にかかる挿入部の形状がネジ形状である挿入体の一例を示す側面図である。
【図７】本発明の実施形態にかかる挿入体を備えるチェーンの一例を示す側面図である。
【図８】従来のガス容器固定器具の一例を示す斜視図である。
【図９】緊縛桁に設けられた従来の係止部の一例を示す斜視図である。
【図１０】緊縛支柱に設けられた従来の係止部の一例を示す斜視図である。
【符号の説明】
【００３５】
１ａ，１ｂ，１ｃ，１ｄ・・・緊縛支柱、２ａ，２ｂ，２ｃ・・・緊縛桁、３・・・チェーン、４・・・係止部、４ｂ・・・抜け止部、５・・・挿入体、５ａ・・・挿入部、５ｂ・・・係止片、５ｃ・・・掛止部、５ｄ・・・ネジ部、６・・・挿入孔、６ａ・・・ネジ孔部、７・・・ナット
【図１】
2006057747.tif 000003
【図２】
2006057747.tif 000004
【図３】
2006057747.tif 000005
【図４】
2006057747.tif 000006
【図５】
2006057747.tif 000007
【図６】
2006057747.tif 000008
【図７】
2006057747.tif 000009
【図８】
2006057747.tif 000010
【図９】
2006057747.tif 000011
【図１０】
2006057747.tif 000012